(57)【特許請求の範囲】
【請求項１】
建物の外壁面に形成される間隙に配設される水切金物であって、
該水切金物は、前記建物の躯体側に取付けられる長尺状の水切本体部と、該水切本体部に形成される突っ張固定金物とを、少なくとも有して構成されており、
前記突っ張固定金物は、上下方向に可動に構成された上下動調整部材と、該上下動調整部材を被覆する被覆ケースを有して構成されるとともに、前記上下動調整部材が上下方向に動くことにより、前記間隙の天面及び底面を突っ張る際の突っ張り距離を調整することが可能であり、
前記突っ張固定金物の上下端部分で、前記間隙の天面及び底面を突っ張ることにより取付けられるよう構成されていることを特徴とする水切金物。
【請求項２】
前記突っ張固定金物は、水平方向に移動する進退部材を更に有して構成されており、
前記進退部材は水平方向に貫通する調整ボルトを回転させることにより、水平方向に移動するように構成され、
前記上下動調整部材は、前記進退部材上に摺動可能に載置されており、
前記進退部材が水平方向に移動することにより、前記上下動調整部材を上下方向に移動可能となることを特徴とする請求項１に記載の水切金物。
【請求項３】
前記進退部材には、上部から下部へと傾斜する斜面が形成されるとともに、前記上下動調整部材にも上部から下部へと傾斜する斜面が形成されており、
前記進退部材に形成された斜面上に、前記上下動調整部材に形成された斜面が摺動可能に載置され、
前記進退部材が水平方向に移動することにより、前記上下動調整部材が前記進退部材に形成された斜面を上下方向に摺動することを特徴とする請求項２に記載の水切金物。
【請求項４】
前記建物の躯体側に取付けるための土台と、該土台と前記水切本体部とを連結するための土台取付金物とが備えられ、
前記土台は、略矩形平板状の部材として構成され、
前記土台取付金物は、前記土台の相対向する端部を把持する土台把持部と、該土台把持部から略１８０°屈曲して延出する水切固定部を有して構成されており、
前記土台取付金物は、前記土台把持部で土台の端部を把持した状態で、前記水切固定部が前記水切本体部に取付けられることにより、前記建物の躯体側に前記水切本体部が取付けられることを特徴とする請求項１に記載の水切金物。
【請求項５】
建物の外壁面に形成される間隙に、前記建物の躯体側に取付けるための略矩形平板状の土台と、該土台と水切本体部とを連結するための土台取付金物とを介して取付けられる水切金物を配設する方法であって、  前記水切金物は、前記建物の躯体側に取付けられる長尺状の水切本体部と、該水切本体部に形成される突っ張固定金物とを、少なくとも有して構成されるとともに、前記土台取付金物は、前記土台の相対向する端部を把持する土台把持部と、該土台把持部から略１８０°屈曲して延出する水切固定部とを有して構成されており、  前記土台の端部を前記土台把持部により把持することにより、前記土台取付金物を前記土台に取付ける工程と、  前記土台に取付けられた前記土台取付金物を前記水切本体部に固定し、前記土台を躯体側に取付ける工程と、  前記突っ張固定金物の上下端部分で、前記間隙の天面及び底面を突っ張ることにより、前記水切本体部を本固定する工程と、を備えることを特徴とする水切金物固定方法。
【発明の詳細な説明】
【技術分野】
【０００１】
本発明は、外壁サイディング等の間隙部分に配設され、通気性及び防水性を同時に実現することができる水切金物及びこの水切金物の固定方法に関するものである。
【背景技術】
【０００２】
一般的に、家屋の基礎と外壁との間には、床下への雨水等の浸入を防止するために水切金物が設置される。
この水切金物は、雨水の浸入を防止するとともに、床下換気を実現するための機能を備えることが求められている。
つまり、内部と外部との空気通路を阻害することなく、内部からの水分を排出するとともに外部からの雨水等の浸入を防止する機能を併せ持つことが必要となる。
このため、様々な形態の水切金物が提案されている（例えば、特許文献１参照）。
【０００３】
特許文献１には、基礎と外壁の間の通気防水構造が開示されている。
特許文献１において、基礎と外壁との間に設置される通気防水構造は、水切り材と第１網板及び第２網板、立体網状材を主要構成として構成されている。
第１網板は、その一端側が、外壁パネルフレームの屋内側側面部にビスにより取付けられるとともに他端側が水切り材（カバー）の下端に取付けられて、基礎と外壁との間の通気開口部を横断するように配設される構成をとる。
また、第２網板は、その中間部が第１網板の基礎天面部に沿う部分の上面側に下地材を介して取付けられており、一端側が水切り材（カバー）の上面側（外壁パネル下端部に接近する側）に係止されるとともに、他端側が水切り材（カバー）の下方側（外壁パネル下端部と離隔する側）に係止される。
このように、水切り材（カバー）は、第１網板および第２網板を介して躯体側に取付けられる。
この第１網板及び第２網板は、網板であるため、通気性を阻害することなく、基礎と外壁の間の空間をカバーすることができる。
【先行技術文献】
【特許文献】
【０００４】
【特許文献１】特開２００８−０６３８３９号公報
【発明の概要】
【発明が解決しようとする課題】
【０００５】
このように、特許文献１に係る通気防水構造によれば、防水性及び通気性を確保することが可能であるが、施工の際に様々な問題が生じていた。
通常、水切材（本体：第１網板に相当）を土台に取付けるために、取付金物が使用される。
この取付金物は、長方形板状部の両短辺からそれぞれ逆方向鉛直方向に各々起立する板状壁を有するＺ形状の部材であり、土台上面に長方形板状部を載置した状態で、上方向に起立する板状壁を躯体側に固定するとともに、下方向に起立する板状壁を水切材（本体：第１網板に相当）に固定することにより、取付金物を介して水切材（本体：第１網板に相当）が躯体側に取付けられる構成となる。
【０００６】
しかし、この土台が小さいため、建て方終了後（外壁パネル設置後）に、室内側から外壁パネルフレームに取付金物をビス固定し、その後水切材（本体）をこの取付金物に固定する方法が取られていた。
よって、建て方が終了しなければ、水切施工に移れず、施工要領が悪かった。
また、建て方後に水切りを取付けるため、建て方中の土台部の防水ができないという問題点があった。
【０００７】
更に、水切材が配設される空間の高さ（上下方向距離）には誤差があるため、これらの誤差を吸収し、簡易に水平状態を確保し、本固定を行うための技術が必要とされていた。
【０００８】
本発明の目的は、上記各問題点を解決することにあり、施工性が向上し、建て方時と同時に水切施工を実施することが可能であるとともに、仮固定後に本固定を行うことが可能であり、本固定時に設置位置の微調整を行うことが可能な水切金物及び水切金物固定方法を提供することにある。
また、本発明の他の目的は、水切金物が配設される空間の高さ（上下方向距離）には誤差があるため、これらの誤差を吸収し、水平状態を確保しながら簡易に本固定を行うことが可能な水切金物及び水切金物固定方法を提供することにある。
【課題を解決するための手段】
【０００９】
上記課題は、請求項１に係る発明によれば、建物の外壁面に形成される間隙に配設される水切金物であって、該水切金物は、前記建物の躯体側に取付けられる長尺状の水切本体部と、該水切本体部に形成される突っ張固定金物とを、少なくとも有して構成されており、前記突っ張固定金物は、上下方向に可動に構成された上下動調整部材と、該上下動調整部材を被覆する被覆ケースを有して構成されるとともに、前記上下動調整部材が上下方向に動くことにより、前記間隙の天面及び底面を突っ張る際の突っ張り距離を調整することが可能であり、前記突っ張固定金物の上下端部分で、前記間隙の天面及び底面を突っ張ることにより取付けられるよう構成されていることにより解決される。
【００１０】
このように、本発明によれば、水切金物は、突っ張固定金物で建物の外壁面に形成される間隙の天面及び底面を突っ張ることにより簡易に取付けることができる。
よって、水切中央部分の撓みを防止するとともに、水切金物が配設される空間の高さ（上下方向距離）の誤差を吸収し、水平状態を確保しながら簡易に本固定を行うことが可能となる。
つまり、簡易に配設位置の微調整を行いながら、突っ張ることにより本固定を行うことができる。
【００１１】
このとき、前記突っ張固定金物は、上下方向に可動に構成された上下動調整部材と、該上下動調整部材を被覆する被覆ケースを有して構成されており、前記上下動調整部材が上下方向に動くことにより、前記間隙の天面及び底面を突っ張る際の突っ張り距離を調整することが可能となるよう構成されていると好適である。
このように構成されているため、簡易に突っ張固定を行うことができる。
【００１２】
また、具体的には、前記突っ張固定金物は、水平方向に移動する進退部材を更に有して構成されており、前記進退部材は水平方向に貫通する調整ボルトを回転させることにより、水平方向に移動するように構成され、前記上下動調整部材は、前記進退部材上に摺動可能に載置されており、前記進退部材が水平方向に移動することにより、前記上下動調整部材を上下方向に移動可能となるよう構成されていると好適である。
【００１３】
更に、具体的には、前記進退部材には、上部から下部へと傾斜する斜面が形成されるとともに、前記上下動調整部材にも上部から下部へと傾斜する斜面が形成されており、前記進退部材に形成された斜面上に、前記上下動部調整部材に形成された斜面が摺動可能に載置され、前記進退部材が水平方向に移動することにより、前記上下動調整部材が前記進退部材に形成された斜面を上下方向に摺動するよう構成されていると好適である。
【００１４】
以上のように、本発明においては、調整ボルトを回転させることにより、進退部材が水平方向へ移動可能となるように構成されているとともに、この進退部材に載置された上下動調整部材が押上若しくは押し下げられることとなる。
よって、調整ボルトを回転させるのみで、突っ張固定を簡易に行うことができる。
【００１５】
また、請求項１に係る発明において、前記建物の躯体側に取付けるための土台と、該土台と前記水切本体部とを連結するための土台取付金物とが備えられ、前記土台は、略矩形平板状の部材として構成され、前記土台取付金物は、前記土台の相対向する端部を把持する土台把持部と、該土台把持部から略１８０°屈曲して延出する水切固定部を有して構成されており、前記土台取付金物は、前記土台把持部で土台の端部を把持した状態で、前記水切固定部が前記水切本体部に取付けられることにより、前記建物の躯体側に前記水切本体部に取付けられるよう構成されていると好適である。
【００１６】
このように、本発明においては、土台を把持固定する土台取付金物を使用し、土台把持部で土台の端部を把持した状態で、水切固定部が水切本体部に取付けられることにより、建物の躯体側に水切本体部が取付けられるよう構成されている。
このため、水切本体部を簡易に躯体に取付けることができ、施工性が向上する。さらに、建て方時に、同時に水切金物の施工も行うことが可能となり、建て方時に土台部の仮防水が可能となる。
【００１７】
また、上記課題は、請求項５に係る水切金物の固定方法によれば、建物の外壁面に形成される間隙に、前記建物の躯体側に取付けるための略矩形平板状の土台と、該土台と前記水切本体部とを連結するための土台取付金物とを介して取付けられる水切金物を配設する方法であって、前記水切金物は、前記建物の躯体側に取付けられる長尺状の水切切本体部と、該水切部材に形成される突っ張固定金物とを、少なくとも有して構成されるとともに、前記土台取付金物は、前記土台の相対向する端部を把持する土台把持部と、該土台把持部から略１８０°屈曲して延出する水切固定部とを有して構成されており、前記土台の端部を前記土台把持部により把持することにより、前記土台取付金物を前記土台に取付ける工程と、前記土台に取付けられた前記土台取付金物を前記水切本体部に固定し、前記土台を躯体側に取付ける工程と、前記突っ張固定金物の上下端部分で、前記間隙の天面及び底面を突っ張ることにより、前記水切本体部を本固定する工程と、を備えることにより解決される。
【００１８】
このように構成されているため、土台を把持固定する土台取付金物を使用し、土台把持部で土台の端部を把持した状態で、水切固定部が水切本体部に取付けられることにより、建物の躯体側に水切本体部が取付けられて、仮固定が行われるとともに、突っ張固定金物の上下端部分で、間隙の天面及び底面を突っ張ることにより、水切本体部を本固定することができる。
よって、水切金物を簡易かつ確実に配設することができる。
【発明の効果】
【００１９】
本発明によれば、水切金物は、突っ張固定金物で建物の外壁面に形成される間隙の天面及び底面を突っ張ることにより簡易に取付けることができる。
よって、水切金物が配設される空間の高さ（上下方向距離）の誤差を吸収し、水平状態を確保しながら配設位置の微調整を行い、突っ張ることにより本固定を簡易かつ確実に行うことができる。
【００２０】
また、本発明によれば、土台を把持固定する土台取付金物を使用し、土台把持部で土台の端部を把持した状態で、水切固定部が水切本体部に取付けられることにより、建物の躯体側に水切本体部が簡易に取付けられるよう構成されているため、施工性が向上するとともに、建て方時に、同時に水切金物の施工も行うことが可能となり、建て方時に土台部の仮防水が可能となる。
【００２１】
更に、建て方時に同時に水切施工が行えることで、各水切金物は各土台間を跨ぐ状態で固定される。
このため、施工性が向上するとともに、土台と水切金物の位置調整の精度向上がはかれる。
【００２２】
また、本発明によれば、仮固定後に本固定を行うことが可能であるとともに、本固定時に設置位置の微調整を行うことが可能となる。
更に、本固定は、上下動調整部材が上昇することにより突っ張った状態を作って係止する機構が採用されているため、間隙の距離誤差を調整して簡易に本固定を実行することができる。
以上のように、本発明に係る水切金物は、通気外壁の通気経路を阻害することなく配設することができ、防水性も確実に確保され、簡易に設置することができる。
【図面の簡単な説明】
【００２３】
【図１】本発明の一実施形態に係る水切金物を示す斜視図である。
【図２】本発明の一実施形態に係る突っ張固定金物の機能を示す説明図である。
【図３】本発明の一実施形態に係る突っ張固定金物に機能を示す断面図である。
【図４】本発明の一実施形態に係る土台の取付状態を示す斜視図である。
【図５】本発明の一実施形態に係る土台配設位置と突っ張固定金物配設位置の位置関係を示す説明図である。
【発明を実施するための形態】
【００２４】
以下、本発明の一実施形態を図面に基づいて説明する。
なお、以下に説明する構成は本発明を限定するものでなく、本発明の趣旨の範囲内で種々改変することができるものである。
【００２５】
本実施形態は、水切金物が配設される空間の高さ（上下方向距離）には誤差があるため、これらの誤差を吸収し、水平状態を確保しながら簡易に本固定を行うことが可能な水切金物及び水切金物固定方法に関するものである。
また、本実施形態は、建て方時と同時に水切施工を実施することが可能であるとともに、仮固定後に本固定を行うことが可能であり、本固定時に設置位置の微調整を行うことが可能な水切金物及び水切金物固定方法に関するものである。
【００２６】
図１乃至図３は、本発明に係る一実施形態を示すものであり、図１は水切金物を示す斜視図、図２は突っ張固定金物の機能を示す説明図、図３は突っ張固定金物に機能を示す断面図、図４は土台の取付状態を示す斜視図、図５は土台配設位置と突っ張固定金物配設位置の位置関係を示す説明図である。
【００２７】
まず、図１及び図２により、本実施形態に係る水切金物Ｓについて説明する。
図１に示すように、本実施形態に係る水切金物Ｓは、水切本体部材１、連結部材２、
カバー取付部材３、土台４、土台取付金物５を有して構成されている。
【００２８】
本実施形態に係る水切本体部材１は、天井部１１、上方折返部１２、被覆部１３、下方折返部１４を有して構成されている。
本実施形態に係る天井部１１は、略長方形平板状であり、その一長辺からは、断面略Ｌ字形状に屈曲した上方折返部１２，１２が各々並列して起立している。
つまり、天井部１１の両端部と略中央部は、上方折返部１２が存在しない空間となっている。
このように、隣接する上部折返部１２，１２間に形成される空間を「連結空間１２ａ」と記す。
【００２９】
この上方折返部１２は、上部自由端辺が天井部１１の他方長辺方向に向くように天井部１１から起立している。
また、天井部１１の他方長辺（上方折返部１２が起立している長辺と対向する長辺）からは、略長方形平板状の被覆部１３が垂下している。
この被覆部１３は、天井部１１と鈍角を成して垂下している。
【００３０】
また、被覆部１３には、矩形格子状に形成された通気孔１３ａが複数並列して形成されている。本実施形態においては、１６個の通気孔１３ａが並列して形成されている。
なお、通気孔１３ａの形成個数及び並び方等は、これに限られるものではなく、本発明の趣旨を逸脱しない範囲で、どのように構成されていてもよい。
被覆部１３の下端辺からは、内側上方に折り返された下方折返部１４が形成されている。
【００３１】
本実施形態に係る連結部材２は、連結部材天井部２１、連結部材上方折返部２２、連結部材被覆部２３、連結部材連結壁２４を有して構成されている。
本実施形態に係る連結部材天井部２１は、略長方形平板状であり、その一長辺の両端側には、連結部材上方折返部２２，２２が起立している。
【００３２】
また、本実施形態に係る連結部材天井部２１の一長辺（連結部材上方折返部２２，２２が起立している辺と同一の辺）の略中央部からは、略矩形平板状の連結部材連結壁２４が起立している。
なお、水切本体部材１に連結部材２を組み付けたとき、この連結部材連結壁２４が、水切本体部材１に形成される連結空間１２ａから露出することとなる。
【００３３】
また、連結部材連結壁２４には、突っ張固定金物３６，３６が配設される。
この突っ張固定金物３６，３６は、水切金物Ｓの略中央部の背面側（被覆部１３が配設される側と反対側の面側）に、２個の突っ張固定金物３６，３６が並列するように固定されている。
この突っ張固定金物３６は、付属されている調整ボルト３６ａを回転させることにより、その上下方向高さを調整することができるように構成されている。
なお、突っ張固定金物３６の詳細な構成に関しては、後に詳述する。
【００３４】
更に、連結部材天井部２１の他方長辺（連結部材上方折返部２２が起立している長辺と対向する長辺）からは、略長方形平板状の連結部材被覆部２３が垂下している。本実施形態に係る連結部材被覆部２３は、連結部材天井部２１と鈍角を成して垂下している。
本実施形態においては、連結部材２は、水切本体部１に沿うように形成されている。
【００３５】
つまり、連結部材２を構成する連結部材天井部２１及び連結部材被覆部２３は、水切本体部材１を構成する天井部１１及び被覆部１３の内隅部に沿って積層される。
このとき、連結部材２を構成する連結部材上方折返部２２は、水切本体部材１を構成する上方折返部１２の外側面（被覆部１３が形成されている側と反対側の面）に沿って立上がる。
そして、連結部材２を構成する連結部材被覆部２３の下端辺は、水切本体部材１を構成する下方折返部１４の内隅に係止される。
【００３６】
本実施形態に係るカバー取付部材３は、底面部３１、取付部３２、側面部３３，３３、カバー取付壁３４、カバー取付片３５を有して構成されている。
本実施形態に係る底面部３１は、略長方形状の板体であり、その一長辺上からは略長方形状板体の取付部３２が略垂直に起立している。
【００３７】
また、底面部３１の相対向する両短辺からは、略矩形状板体の側面部３３，３３が略垂直に起立している。
この側面部３３，３３は、双方、取付部３２が起立する方向と同方向に起立しており、底面部３１に対して略垂直に立上がる一辺が取付部３２の短辺（底面部３１に対して略垂直に立上がる辺）と連結されている。
【００３８】
更に、底面部３１の他長辺（取付部３２が起立する長辺と対向する長辺）の中央部分からは、略等脚大形状板体（上底が短く形成された略等脚台形）のカバー取付壁３４が起立している。
そして、このカバー取付壁３４には、カバー取付片３５が固定されている。
本実施形態に係るカバー取付片３５は、断面略コ字形状の部材であり、略コ字開口部を外側方向へ向けて底面外側面をカバー取付壁３４の取付外側面（取付部３２が配設される側と反対側の面）に固定されている。
【００３９】
また、本実施形態に係る土台４は、鋼製の略長方形状板体であり、長手方向に沿って３個の土台側ボルト貫通孔４１，４１，４１が３個並列して形成されている。
更に、本実施形態に係る土台取付金物５は、略コ字形状の土台把持部５１と、水切固定部５２とを有して構成されている。
【００４０】
本実施形態に係る土台把持部５１は、略コ字形状に屈曲しており、その略コ字内側には、土台４の一端が嵌合できるように構成されている。
また、土台把持部５１の一端部側は１８０°折り返されており、この折り返された部分が、水切固定部５２となる。
なお、この水切固定部５２には、取付金物側ボルト貫通孔５２ａが形成されている。
【００４１】
上記のように構成された水切本体部材１、連結部材２、カバー取付部材３、土台４、土台取付金物５は、次のように組み付けられて、水切金物Ｓが形成される。
連結部材２を構成する連結部材天井部２１及び連結部材被覆部２３は、水切本体部材１を構成する天井部１１及び被覆部１３の内隅部に沿って積層される。
このとき、連結部材２を構成する連結部材上方折返部２２は、水切本体部材１を構成する上方折返部１２の外側面（被覆部１３が形成されている側と反対側の面）に沿って立上がる。
【００４２】
そして、連結部材２を構成する連結部材被覆部２３の下端辺は、水切本体部材１を構成する下方折返部１４の内隅に係止される。
この状態においては、連結部材２を構成する連結部材上方折返部２２，２２が、天井部１１の長手方向両端部から立ち上がっているとともに、連結部材連結壁２４は、水切本体部材１に形成される連結空間１２ａから露出している。
次いで、カバー取付部材３を取付ける。
【００４３】
このとき、カバー取付部材３は、取付部３２の外側面側（側面部３３，３３が配設される側と反対側の面）を、連結部材連結壁２４に当接させた状態で、螺子により固定される。
またこのとき、突っ張固定金物３６，３６は、水切金物Ｓの略中央部の背面側（被覆部１３が配設される側と反対側の面側）に並列して配設されるよう構成されている。
【００４４】
また、水切金物Ｓの両端部は、隣接する水切金物Ｓの端部と突き合わされて固定される。
つまり、土台把持部５１により土台４の一端を把持した土台取付金物５の水切固定部５２を連結部材上方折返部２２の背面側（被覆部１３が配設される側と反対側の面側）に取付けることにより、水切金物Ｓは完成する。
【００４５】
このとき、隣接する水切金物Ｓ，Ｓの境界部分を跨ぐように土台４を取付けると好適である（図４参照）。
つまり、土台４の両端部を把持する土台把持部５１，５１を、隣接する連結部材上方折返部２２，２２に各々取付けることにより、土台４が隣接する水切金物Ｓ，Ｓの境界部分を跨ぐように固定されることとなる（図４参照）。
【００４６】
次いで、水切金物Ｓの略中央部の背面側（被覆部１３が配設される側と反対側の面側）に形成される突っ張固定金物３６について説明する。
突っ張固定金物３６は、被覆ケース１３０、上下動調整部材１３１、進退部材１３２を有して構成されており、調整ボルト３６ａを備える。
本実施形態に係る被覆ケース１３０は、断面略コ字形状に屈曲したカバー部１３０ａと、このカバー部１３０ａの両端辺から側面と略垂直外側に延出するように屈曲した脚部１３０ｂ，１３０ｂとを有して構成されている。
【００４７】
本実施形態に係る上下動調整部材１３１は、略矩形状の底面押上部１３１ａと、この底面押上部１３１ａの相対向する辺から各々略垂直同方向に屈曲する側面押上部１３１ｂ，１３１ｂと、この側面押上部１３１ｂ，１３１ｂの内側面（互いに対向する側の面）に各々形成される上下動部材斜面部１３１ｃ，１３１ｃとを有して構成されている。
上下動部材斜面部１３１ｃ，１３１ｃは、側面押上部１３１ｂ，１３１ｂの上端点付近から、下方へ降りるにつれて、底面押上部１３１ａに近接するような斜面として各々形成される。
底面押上部１３１ａの略中央部には、底面押上部ボルト貫通孔Ｄ１が形成されている。
【００４８】
本実施形態に係る進退部材１３２は、略矩形平板状の移動部１３２ａと、その移動部１３２ａの相対向する辺から各々移動部１３２ａに対して略垂直同方向に延長出する摺動片１３２ｂと、移動部１３２ａと摺動片１３２ｂとの内隅部分を閉塞するように配設される略直角三角形状板体の進退部材押上片１３２ｃ，１３２ｃとを有して構成されている。
【００４９】
本実施形態に係る進退部材押上片１３２ｃの斜面は、その略直角部分を移動部１３２ａと摺動片１３２ｂとで形成される一方の内隅部（組立てられた際下方に配設される内隅部側）に整合させて配設された際、移動部１３２ａと摺動片１３２ｂとで形成される他方の内隅部（組立てられた際上方に配設される側の内隅部）に近い側から、移動部１３２ａと摺動片１３２ｂとで形成される一方の内隅部（組立てられた際下方に配設される側の内隅部）から離れる方向へ向けて傾斜するように構成されている。
この進退部材押上片１３２ｃを構成する斜辺部分の天面を「スライド面Ｌ１」と記す。
更に、移動部１３２ａの略中央部には、移動部ボルト貫通孔Ｄ２が形成されている。
この移動部ボルト貫通孔Ｄ２には、調整ボルト３６ａ用のナットＮが固着されている。
【００５０】
このように構成された、被覆ケース１３０、上下動調整部材１３１、進退部材１３２、調整ボルト３６ａは、以下に示すように組み合わされて突っ張固定金物３６が構成されることとなる。
つまり、上下動調整部材１３１と進退部材１３２は、上下動調整部材１３１を構成する上下動部材斜面部１３１ｃ，１３１ｃが進退部材１３２を構成する進退部材押上片１３２ｃ，１３２ｃのスライド面Ｌ１，Ｌ１に載置された状態に組み立てられて、被覆ケース１３０を構成するカバー部１３０ａに被覆されるように配設される。
また、被覆ケース１３０を構成する脚部１３０ｂ，１３０ｂは、連結部材連結壁２４の背面側（被覆部１３が配設される側と反対側の面）に固定される。
【００５１】
また、底面押上部ボルト貫通孔Ｄ１及び移動部ボルト貫通孔Ｄ２は整合する位置に配設されるよう構成されており、取付部３２の底面押上部ボルト貫通孔Ｄ１及び移動部ボルト貫通孔Ｄ２と整合する位置には、取付部ボルト貫通孔Ｄ３が形成されている。
つまり、調整ボルト３６ａは、取付部ボルト貫通孔Ｄ３から、底面押上部ボルト貫通孔Ｄ１及び移動部ボルト貫通孔Ｄ２（ナットＮ）を略水平方向に貫通し、調整ボルト３６ａの頭部は、取付部ボルト貫通孔Ｄ３の外側に当接した状態に配設される。
【００５２】
ついで、この突っ張固定金物３６の機能を説明する。
上記のような構成で、調整ボルト３６ａをＡ方向に回した場合、調整ボルト３６ａは、前進することができないため、ナットＮと調整ボルト３６ａの螺合関係により、進退部材１３２がＸ方向（調整ボルト３６ａの頭側）に引寄せられる。
そうすると、進退部材１３２に形成されたスライド面Ｌ１，Ｌ１上を、上下動調整部材１３１に形成された上下動部材斜面部１３１ｃ，１３１ｃが上昇するように摺動するため、結果として、上下動調整部材１３１が上昇する。
【００５３】
同様に、調整ボルト３６ａを逆方向に回した場合には、進退部材１３２がＸ方向と反対方向に移動するため、進退部材１３２に形成されたスライド面Ｌ１，Ｌ１上を、上下動調整部材１３１に形成された上下動部材斜面部１３１ｃ，１３１ｃが下降するように摺動するため、結果として、上下動調整部材１３１が下降する。
【００５４】
このように、調整ボルト３６ａを旋回させるのみで、突っ張固定金物３６の高さを簡易に変更することができる。
よって、水切金物Ｓを仮固定した後、突っ張固定金物３６の高さを変更して突っ張ることにより、簡易に本固定を行うことができる。
【００５５】
ついで、図４により、本実施形態に係る水切金物Ｓの固定方法を説明する。
土台４は、水切金物Ｓ，Ｓの境界部分に取付けられる。
まず、土台４の外側端面に土台取付金物５，５を取付ける。
次いで、土台４に取付けられた土台取付金物５，５を隣接する連結部材上方折返部２２，２２の背面側（被覆部１３が配設される側と反対側の面側）に固定し、土台４を躯体側に取付ける。
このとき、同時にカバー取付部材３もまた、連結部材上方折返部２２，２２の前面側（被覆部１３が配設される側の面側）に取付けられる。
次いで、調整ボルト３６ａを回転させて、上下動調整部材１３１を上昇させる。
つまり、上下動調整部材１３１の上端部が外壁パネルの下端部分に圧接するまで、調整ボルト３６ａを回転させて、上下動調整部材１３１を上昇させることによって、突っ張本固定を行う。
【００５６】
図５により、取付位置の位置関係を説明する。
なお、図５は、取付位置を説明するための模式図であり、部材は適宜省略してあり、形状は簡略化して示している。
このように、土台４は、隣接する水切金物Ｓ，Ｓ間を跨ぐように取付けられる。
よって、突っ張固定金物３６，３６は、隣接する土台４，４間に配設されることとなり、この位置で水切金物Ｓを固定するよう構成されている。
【００５７】
このように隣接する土台４，４間において、突っ張固定金物３６，３６による固定が行われるため、土台４，４間において、水切金物Ｓが撓むことを有効に防止することができる。
【００５８】
以上のように、本実施形態に係る水切金物Ｓは、仮固定後に本固定を行うことが可能であるとともに、調整ボルト３６ａを回転させるのみで、本固定時に設置位置の微調整を行うことが可能である。
また、本実施形態に係る水切金物Ｓによれば、建て方時と同時に水切施工を実施することが可能となる。
【００５９】
このように、本実施形態に係る水切金物Ｓによれば、簡易に設置可能であるとともに、
施工に特殊技術が不要であるため、設置コスト及び設置工数を低減させることができ、施工性も良好となる。
また、通気性及び防水性もまた同時に確保することができる。
【符号の説明】
【００６０】
１  水切本体部材
１１  天井部
１２  上方折返部
１２ａ  連結空間
１３  被覆部
１３ａ  通気孔
１４  下方折返部
２  連結部材
２１  連結部材天井部
２２  連結部材上方折返部
２３  連結部材被覆部
２４  連結部材連結壁
３  カバー取付部材
３１  底面部
３２  取付部
３３  側面部
３４  カバー取付壁
３５  カバー取付片
３６  突っ張固定金物
３６ａ  調整ボルト
４  土台
４１  土台側ボルト貫通孔
５  土台取付金物
５１  土台把持部
５２  水切固定部
５２ａ  取付金物側ボルト貫通孔
１３０  被覆ケース
１３０ａ  カバー部
１３０ｂ  脚部
１３１  上下動調整部材
１３１ａ  底面押上部
１３１ｂ  側面押上部
１３１ｃ  上下動部材斜面部
１３２  進退部材
１３２ａ  移動部
１３２ｂ  摺動片
１３２ｃ  進退部材押上片
Ｄ１  底面押上部ボルト貫通孔
Ｄ２  移動部ボルト貫通孔
Ｄ３  取付部ボルト貫通孔
Ｌ１  スライド面
Ｎ  ナット
Ｓ  水切金物
【図１】
0005591579.tif 000002
【図２】
0005591579.tif 000003
【図３】
0005591579.tif 000004
【図４】
0005591579.tif 000005
【図５】
0005591579.tif 000006